【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
対向面を有する中央部と前記中央部を取り囲む関係にある外側フランジ部とを有する破裂ディスクと、
前記破裂ディスクの中に形成され、かつ少なくとも一部が、前記破裂ディスクの超過圧力解放領域を規定するレーザ加工開口線とを有する超過圧力解放装置であって、
前記レーザ加工開口線が、１つ以上の開口線部と、１つ以上のレーザ加工開口制御機構とを有し、
前記１つ以上の開口線部は、前記対向面の一方から前記対向面の他方に向かって前記破裂ディスクに貫入するチャネルを有し、
前記１つ以上の開口制御機構は、少なくとも一部がレーザ加工側方縁部対により規定され、前記レーザ加工側方縁部対は、前記開口線部の少なくとも１つの方向において互いに近づくことを特徴とする超過圧力解放装置。
【請求項２】
前記中央部が突き出ており、前記対向面が凸面と凹面とを有する請求項１に記載の超過圧力解放装置。
【請求項３】
前記レーザ加工開口線が、前記中央部の前記凹面に形成される請求項２に記載の超過圧力解放装置。
【請求項４】
前記１つ以上の開口制御機構が、超過圧力状態に置かれた時に、前記破裂ディスクの開口を助けるように構成された開口開始機構を有する請求項１〜３のいずれか１項に記載の超過圧力解放装置。
【請求項５】
前記レーザ加工開口線がＣ形状であり、離間した一対の端部領域を有し、前記端部領域がその間のヒンジ部を規定する請求項４に記載の超過圧力解放装置。
【請求項６】
前記開口開始機構は、破裂ディスクが超過圧力状態に置かれた時に、前記破裂ディスクに隣接して配置されたディスク支持リング上に置かれた歯に係合するように構成される請求項５に記載の超過圧力解放装置。
【請求項７】
前記開口開始機構が、前記ヒンジ部とは反対側の前記中央部上に配置される請求項５または６に記載の超過圧力解放装置。
【請求項８】
前記１つ以上のレーザ加工開口制御機構が、複数の離間したレーザ加工溝を有し、前記レーザ加工溝の少なくとも２つが前記レーザ加工側方縁部対を有する請求項１〜７のいずれか１項に記載の超過圧力解放装置。
【請求項９】
前記開口制御機構が開口開始機構を有し、前記開口開始機構を含む前記レーザ加工溝の少なくとも１つが不連続であり、前記中央部の非レーザ加工領域により相互接続された一対の端部を有する請求項８に記載の超過圧力解放装置。
【請求項１０】
前記レーザ加工溝の少なくとも１つが、前記中央部の中心方向に延びる曲りを有する湾曲部を有する請求項９に記載の超過圧力解放装置。
【請求項１１】
前記破裂ディスクが反転作動破裂ディスクであり、前記中央部が反転開始機構を有する請求項８〜１０のいずれか１項に記載の超過圧力解放装置。
【請求項１２】
前記開口制御機構が開口開始機構を有し、前記中央部がさらに、前記反転開始機構から前記開口開始機構に向かって延びる弱め線を有する請求項１１に記載の超過圧力解放装置。
【請求項１３】
前記１つ以上の開口制御機構が、前記破裂ディスクの開口時に前記レーザ加工開口線で前記破裂ディスクに作用するエネルギを拡散するように構成された断片化防止機構を有する請求項８〜１２のいずれか１項に記載の超過圧力解放装置。
【請求項１４】
前記離間したレーザ加工溝の少なくとも１つが、前記チャネルから、前記外側フランジ部に向かう方向に延びる請求項１３に記載の超過圧力解放装置。
【請求項１５】
前記離間したレーザ加工溝の少なくとも１つが、前記チャネルから、前記レーザ加工開口線の内側の方向に延びる請求項１３または１４に記載の超過圧力解放装置。
【請求項１６】
前記離間したレーザ加工溝がそれぞれ、前記チャネルの平均深さよりも小さい平均深さを有する請求項８〜１５のいずれか１項に記載の超過圧力解放装置。
【請求項１７】
前記レーザ加工開口線が、前記中央部の一方の面上に十字型パターンで配置された複数の開口線部を有する請求項１〜４のいずれか１項に記載の超過圧力解放装置。
【請求項１８】
前記開口線部の少なくとも１つが、前記外側フランジ部に隣接する前記中央部の領域から前記中央部の中心に向かって延びているが、前記開口線部のうちの他のあらゆる開口線部とは交差しない請求項１７に記載の超過圧力解放装置。
【請求項１９】
前記複数の開口線部の少なくとも１つが、前記外側フランジ部に隣接して配置された端部領域を有し、前記端部領域が、前記開口制御機構の１つを有し、前記端部領域の開口制御機構が断片化防止機構である請求項１７または１８に記載の超過圧力解放装置。
【請求項２０】
圧力解放装置の中に開口線を形成する方法であって、
対向面を有する中央部と、前記中央部を取り囲む関係にある外側フランジ部とを有する圧力解放装置を準備し、
レーザビームを複数回のレーザ照射で前記圧力解放装置上に照射させることにより前記圧力解放装置の中に前記開口線を形成することを含み、
各回の前記レーザ照射は所定のレーザ経路をたどり、レーザアブレーションによって前記圧力解放装置から材料を選択的に除去するように動作可能であり、それによって溝を形成し、
前記開口線は、１つ以上の開口線部と、１つ以上の開口制御機構とを有し、
各レーザ経路上にレーザアブレーションにより形成された溝が、他の１つのレーザ経路上にレーザアブレーションにより形成された溝と少なくとも一部重なるように、複数の前記レーザ経路のうちの各レーザ経路の少なくとも一部が、他の１つのレーザ経路の少なくとも一部と離間し、前記複数のレーザ経路が間隔および溝の重畳度を一定に維持している部分が、前記１つ以上の開口線部に相当し、
各レーザ経路の少なくとも一部が、他の１つ以上のレーザ経路から分岐し、レーザ経路の分岐部分が、前記１つ以上の開口制御機構に相当することを特徴とする方法。
【請求項２１】
前記中央部が突き出ており、前記対向面が凸面と凹面とを有し、前記開口線が前記中央部の前記凹面に形成される請求項２０に記載の方法。
【請求項２２】
前記１つ以上の開口制御機構が、複数の離間したレーザ加工溝を有し、前記レーザ加工溝が互いに近づき、結合して前記開口線部の少なくとも１つになり、前記１つ以上の開口線部が、前記対向面の一方から前記対向面の他方に向かって前記圧力解放装置に貫入するチャネルを有する請求項２０または２１に記載の方法。
【請求項２３】
前記１つ以上の開口制御機構が、超過圧力状態に置かれた時に、前記圧力解放装置の開口を助けるように構成された開口開始機構を有する請求項２２に記載の方法。
【請求項２４】
前記開口線がＣ形状であり、離間した一対の端部領域を有し、前記端部領域がその間のヒンジ部を規定する請求項２３に記載の方法。
【請求項２５】
前記開口開始機構が、前記ヒンジ部とは反対側の前記中央部上に配置される請求項２４に記載の方法。
【請求項２６】
前記１つ以上の開口制御機構が、前記圧力解放装置の開口時に前記開口線で前記圧力解放装置に作用するエネルギを拡散するように構成された断片化防止機構を有する請求項２２〜２５のいずれか１項に記載の方法。
【請求項２７】
前記離間したレーザ加工溝の少なくとも１つが、前記チャネルから、前記外側フランジ部に向かう方向に延びる請求項２６に記載の方法。
【請求項２８】
前記離間したレーザ加工溝の少なくとも１つが、前記チャネルから、前記開口線の内側の方向に延びる請求項２６または２７に記載の方法。
【請求項２９】
少なくとも１回の前記レーザビーム照射の間に、前記レーザビームが、前記開口制御機構の少なくとも１つに相当するレーザ経路の部分で不連続に動作されて、その結果として前記中央部の非レーザ加工領域により相互接続された一対の端部を含む不連続溝が形成される請求項２２〜２８のいずれか１項に記載の方法。
【請求項３０】
前記離間したレーザ加工溝がそれぞれ、前記チャネルの平均深さよりも小さい平均深さを有する請求項２２〜２９のいずれか１項に記載の方法。
【請求項３１】
前記開口線が、前記中央部の一方の面上に十字型パターンで配置された複数の開口線部を有する請求項２０〜２３のいずれか１項に記載の方法。
【請求項３２】
前記開口線部の少なくとも１つが、前記外側フランジ部に隣接する前記中央部の領域から、前記中央部の中心に向かって延びているが、前記開口線部のうちの少なくとも他の１つの開口線部とは交差しない請求項３１に記載の方法。
【請求項３３】
前記複数の開口線部の少なくとも１つが、前記外側フランジ部に隣接して配置された端部領域を有し、前記端部領域が、前記開口制御機構の１つを有し、前記端部領域の開口制御機構が断片化防止機構である請求項３１または３２に記載の方法。
【請求項３４】
対向面を有する中央部と前記中央部を取り囲む関係にある外側フランジ部とを有する破裂ディスクと、
前記破裂ディスクの中に形成され、かつ少なくとも一部が、前記破裂ディスクの超過圧力解放領域を規定するＣ形状のレーザ加工開口線とを有し、
前記レーザ加工開口線は、ヒンジ領域を規定する一対の離間した端部領域を有し、前記破裂ディスクの開口時に前記中央部の一部が前記ヒンジ領域を中心にして回動し、
前記レーザ加工開口線が、１つ以上の開口線部と、１つ以上のレーザ加工開口制御機構とを有し、
前記開口制御機構の少なくとも１つが、開口開始機構を有し、前記開口開始機構が前記ヒンジ領域とは反対側の前記破裂ディスク上に配置され、
前記１つ以上の開口線部が、前記対向面の一方から前記対向面の他方に向かって前記破裂ディスクに貫入するチャネルを有し、前記チャネルが最大幅ＷＣおよび最大深さＤＣを有する一対のチャネル縁部により規定され、
前記開口開始機構が、前記１つ以上の開口線部に隣接して形成された１つ以上のポケットを有し、前記ポケットの少なくとも１つが、ＷＣより大きい最大幅ＷＰと、ＤＣより小さい平均深さＤＰとを有することを特徴とする超過圧力解放装置。
【請求項３５】
前記開口線部の１つが、前記ポケットの少なくとも１つと交わる請求項３４に記載の超過圧力解放装置。
【請求項３６】
対向面を有する中央部と前記中央部を取り囲む関係にある外側フランジ部とを有する破裂ディスクと、
前記破裂ディスクの中に形成され、かつ少なくとも一部が、前記破裂ディスクの超過圧力解放領域を規定するレーザ加工開口線とを有し、
前記レーザ加工開口線が、１つ以上の開口線部と、１つ以上のレーザ加工開口制御機構とを有し、
前記開口制御機構の少なくとも１つが、前記破裂ディスクの開口時に前記レーザ加工開口線で前記破裂ディスクに作用するエネルギを拡散するように構成された断片化防止機構を有し、
前記１つ以上の開口線部が、前記対向面の一方から前記対向面の他方に向かって前記破裂ディスクに貫入するチャネルを有し、前記チャネルが最大幅ＷＣおよび最大深さＤＣを有する一対のチャネル縁部により規定され、
前記断片化防止機構が、前記開口線部の１つに隣接して配置された１つ以上のポケットを有し、前記ポケットの少なくとも１つが、ＷＣより大きい最大幅ＷＰと、ＤＣより小さい平均深さＤＰとを有することを特徴とする超過圧力解放装置。
【請求項３７】
対向面を有する中央部と前記中央部を取り囲む関係にある外側フランジ部とを有する破裂ディスクと、
前記破裂ディスクの中に形成されたレーザ加工開口線とを有し、
前記レーザ加工開口線が、第１開口開始機構により相互接続された第１開口線部対と、第２開口開始機構により相互接続された第２開口線部対とを有し、
前記第１開口開始機構が、前記中央部の中心でまたは中心付近で前記第２開口開始機構と交わって、それによって中央ポケットを形成し、
前記第１および前記第２開口線部対の各々が、前記対向面の一方から前記対向面の他方に向かって前記破裂ディスクに貫入するチャネルを有し、
前記第１開口開始機構および前記第２開口開始機構の各々は、少なくとも一部が、レーザ加工側方縁部対により規定され、前記レーザ加工側方縁部対が、前記第１および前記第２開口線部対の方向において互いに近づくことを特徴とする超過圧力解放装置。